(57)【要約】      （修正有）【課題】組立の安定性が高い接着剤塗布構造を有するレンズモジュールを提供する。【解決手段】レンズモジュール１００であって、鏡筒１０１及び鏡筒１０１内に設置された第１のレンズ１０２を備え、鏡筒１０１は第１の接合面１０１Ｆを備え、第１のレンズ１０２は第２の接合面１０２１を備え、第２の接合面１０２１は第１のレンズ１０２の側面である。第１の接合面１０１Ｆと第２の接合面１０２１のうちの少なくともいずれか一方が凸凹しており、接着剤１０１０により接着固定されている。第１の接合面１０１Ｆと、第２の接合面１０２１と、接着剤１０１０とは接着構造を形成し、接着剤１０１０との接触する面積が増加して、組立の安定性が向上する。【選択図】図１
2018013749.tif 000002
【特許請求の範囲】
【請求項１】
鏡筒及び前記鏡筒内に設置された第１のレンズを備え、前記鏡筒は第１の接合面を備え、前記第１のレンズは第２の接合面を備えるレンズモジュールであって、前記第２の接合面は前記第１のレンズの側面であり、前記第１の接合面と第２の接合面のうちの少なくともいずれか一方が平らでなく凸凹しており、前記第１の接合面と前記第２の接合面は接着剤により接着固定されており、前記第１の接合面と、前記第２の接合面と、前記接着剤とは接着構造を形成することを特徴とするレンズモジュール。
【請求項２】
前記鏡筒は、光通過孔が開設された第１の筒壁と、前記第１の筒壁から折り曲げて延伸する第２の筒壁とを備え、前記第１の接合面は前記第２の筒壁に設置されている、請求項１に記載のレンズモジュール。
【請求項３】
前記第１の接合面にはアレイで配列された第１の凸部と第１の溝部が設置されている、請求項２に記載のレンズモジュール。
【請求項４】
前記第２の接合面にはアレイで配列された第２の凸部と第２の溝部が設置されている、請求項３に記載のレンズモジュール。
【請求項５】
前記第１の凸部の前記第１の筒壁への投影の長さは、前記第１の溝部の前記第１の筒壁への投影の長さと等しい、請求項３に記載のレンズモジュール。
【請求項６】
前記第２の凸部の前記第１の筒壁への投影の長さは、前記第２の溝部の前記第１の筒壁への投影の長さと等しい、請求項４に記載のレンズモジュール。
【請求項７】
前記第１の凸部の前記第１の筒壁への投影の長さと前記第１の溝部の前記第１の筒壁への投影の長さとの合計は、前記第２の凸部の前記第１の筒壁への投影の長さと前記第２の溝部の前記第１の筒壁への投影の長さとの合計と等しい、請求項４に記載のレンズモジュール。
【請求項８】
前記レンズモジュールはさらに前記鏡筒内に設置された少なくとも一つの第２のレンズを備え、前記第２のレンズは光軸に沿って第１のレンズの像側又は物体側に積層設置されている、請求項１〜７のいずれかに記載のレンズモジュール。
【請求項９】
前記第２のレンズと前記鏡筒は前記接着構造により接着固定されることを特徴とする請求項８に記載のレンズモジュール。
【発明の詳細な説明】
【技術分野】
【０００１】
本発明は、接着剤塗布構造を備えるレンズモジュールに関する。
【背景技術】
【０００２】
科学技術が絶えず発展していることに伴い、電子デバイスは絶えずスマート化へ進化していく。デジタルカメラの他に、例えばタブレットＰＣ、携帯電話などの携帯式電子デバイスにもレンズモジュールが配置されている。人々の使用ニーズを満足するために、レンズモジュールの結像品質に対してより高い要求が求められていると同時に、製品の安定性に対してもより高い要求が求められており、レンズモジュールの安定性はレンズモジュールにおける接着剤塗布構造の安定性に大きな関係がある。
【０００３】
レンズモジュールの小型化のため、レンズモジュールにおける接着剤塗布構造は通常において微小であり、接着剤塗布の面積も限られた。そのため、接着の強度が非常に限られたものとなり、脱落が発生しやすく、製品の安定性に影響している。
【０００４】
従って、新型の接着剤塗布構造を有するレンズモジュールを提供する必要がある。
【発明の概要】
【発明が解決しようとする課題】
【０００５】
本発明は、組立の安定性が高いレンズモジュールを提供することを目的とする。
【課題を解決するための手段】
【０００６】
本発明のレンズモジュールは、鏡筒及び前記鏡筒内に設置された第１のレンズを備え、前記鏡筒は第１の接合面を備え、前記第１のレンズは第２の接合面を備え、前記第２の接合面は前記第１のレンズの側面であり、前記第１の接合面と第２の接合面のうちの少なくともいずれか一方が平らでなく凸凹しており、前記第１の接合面と前記第２の接合面は接着剤により接着固定されており、前記第１の接合面と、前記第２の接合面と、前記接着剤とは接着構造を形成する。
【０００７】
好ましくは、前記鏡筒は、光通過孔が開設された第１の筒壁と、前記第１の筒壁から折り曲げて延伸する第２の筒壁とを備え、前記第１の接合面は前記第２の筒壁に設置されている。
【０００８】
好ましくは、前記第１の接合面にはアレイで配列された第１の凸部と第１の溝部が設置されている。
【０００９】
好ましくは、前記第２の接合面にはアレイで配列された第２の凸部と第２の溝部が設置されている。
【００１０】
好ましくは、前記第１の凸部の前記第１の筒壁への投影の長さは、前記第１の溝部の前記第１の筒壁への投影の長さと等しい。
【００１１】
好ましくは、前記第２の凸部の前記第１の筒壁への投影の長さは、前記第２の溝部の前記第１の筒壁への投影の長さと等しい。
【００１２】
好ましくは、前記第１の凸部の前記第１の筒壁への投影の長さと前記第１の溝部の前記第１の筒壁への投影の長さとの合計は、前記第２の凸部の前記第１の筒壁への投影の長さと前記第２の溝部の前記第１の筒壁への投影の長さとの合計と等しい。
【００１３】
好ましくは、前記レンズモジュールはさらに前記鏡筒内に設置された少なくとも一つの第２のレンズを備え、前記第２のレンズは光軸に沿って第１のレンズの像側又は物体側に積層設置されている。
【００１４】
好ましくは、前記第２のレンズと前記鏡筒は前記接着構造により接着固定される。
【発明の効果】
【００１５】
本発明は、以下の有益な効果を奏することができる。前記第１の接合面及び前記第２の接合面と前記接着剤との接触する面積が増加して、これにより、前記接着構造をより安定化して、レンズモジュールの組立ての安定性を向上させ、製品の品質を向上させる。
【図面の簡単な説明】
【００１６】
【図１】本発明に係るレンズモジュールの第１の実施例の構成を示す模式図である。
【図２】本発明に係るレンズモジュールの第１の実施例における鏡筒を示す模式図である。
【図３】図２におけるＡ部分の拡大図である。
【図４】本発明に係るレンズモジュールの第１の実施例における第１のレンズの正面図である。
【図５】本発明に係るレンズモジュールの第１の実施例における第１のレンズの側面図である。
【発明を実施するための形態】
【００１７】
以下、図面と実施形態を参照しながら、本発明をさらに説明する。
【００１８】
＜第１の実施例＞
図１に示すように、レンズモジュール１００は、鏡筒１０１及び鏡筒１０１に収容されたレンズ群を備え、鏡筒１０１は、光通過孔１０１Ｃが開設された第１の筒壁１０１Ａと、第１の筒壁１０１Ａから折り曲げて延伸する第２の筒壁１０１Ｂと、第１の筒壁１０１Ａと第２の筒壁１０１Ｂにより形成された収容空間１０１Ｄとを備え、レンズ群は、第１の筒壁１０１Ａにおいて収容空間１０１Ｄに向けられた側の表面に当接して配置された第１のレンズ１０２を備える。
【００１９】
鏡筒１０１には、さらに、第１の接合面１０１Ｆが設置され、他の実施例において、第１の接合面１０１Ｆは第２の筒壁１０１Ｂの内壁の任意の位置に設置されてもよい。
【００２０】
第１のレンズ１０２には、さらに、第２の接合面１０２１が設置され、第２の接合面１０２１は接着剤１０１０により第１の接合面１０１Ｆと接着され、これにより、第１のレンズ１０２が鏡筒１０１内に固定されて、レンズモジュール１００の組立を安定化する。
【００２１】
本実施例において、第１の接合面１０１Ｆと第２の接合面１０２１とはいずれも平らでなく凸凹しており、且つ接着剤１０１０により接着固定されており、第１の接合面１０１Ｆと、第２の接合面１０２１と、接着剤１０１０とは接着構造を形成する。他の実施例において、第１の接合面と第２の接合面とは、少なくとも一方が平らでなく凸凹としてもよい。
【００２２】
図２と図３に示すように、鏡筒１０１の第１の接合面１０１Ｆには、アレイで配列された第１の溝部１０１Ｆ１と第１の凸部１０１Ｆ２が設置されており、これにより、第１の接合面１０１Ｆの表面面積が増加して、接着剤１０１０と接触する面積も対応して増加すると共に、鏡筒１０１の強度も向上した。
【００２３】
図１を参照すると、本実施例において、第１の凸部１０１Ｆ２の前記第１の筒壁１０１Ａへの投影の長さは、前記第１の溝部１０１Ｆ１の前記第１の筒壁１０１Ａへの投影の長さと等しくないが、他の実施例において、両者は等しくてもよい。
【００２４】
図４と図５に示すように、第１のレンズ１０２は側面を有し、第２の接合面１０２１は側面に設置される。第２の接合面１０２１には、アレイで配布された第２の凸部１０２２と第２の溝部１０２３が設置されており、これにより、第２の接合面１０２１の表面面積が増加して、接着剤１０１０と接触する面積も対応して増加する。
【００２５】
図１を参照すると、本実施例において、第２の凸部１０２２の前記第１の筒壁１０１Ａへの投影の長さは、前記第２の溝部１０２３の前記第１の筒壁１０１Ａへの投影の長さと等しくないが、他の実施例において、両者は等しくてもよい。
【００２６】
本実施例において、前記第１の凸部１０１Ｆ２の前記第１の筒壁１０１Ａへの投影の長さと前記第１の溝部１０１Ｆ１の前記第１の筒壁１０１Ａへの投影の長さとの合計は、前記第２の凸部１０２２の前記第１の筒壁１０１Ａへの投影の長さと前記第２の溝部１０２３の前記第１の筒壁１０１Ａへの投影の長さとの合計と等しくないが、他の実施例において、両者は等しくてもよい。
【００２７】
本実施例において、レンズ群は一枚のレンズを備えるが、他の実施例において、実際の需要に応じて、レンズモジュールはさらに鏡筒内に設置された少なくとも一つの第２のレンズを備えてもよく、前記第２のレンズは光軸に沿って第１のレンズの像側又は物体側に積層されており、前記第２のレンズは前記接着構造により前記鏡筒に接着固定されるが、他の手段により固定されてもよい。
【００２８】
以上に記述されたのは、本発明の実施形態に過ぎず、当業者にとっては、本発明の設計主旨を超えない限り、さらに改良することができ、これらの変更も本発明の保護範囲に含まれると理解されるべきである。
【図１】
2018013749.tif 000003
【図２】
2018013749.tif 000004
【図３】
2018013749.tif 000005
【図４】
2018013749.tif 000006
【図５】
2018013749.tif 000007